【手続補正書】
【提出日】令和3年3月11日(2021.3.11)
【手続補正１】
【補正対象書類名】明細書
【補正対象項目名】００３９
【補正方法】変更
【補正の内容】
【００３９】
図５Ａは、特定の実施形態による、評価モジュール１７０内のいくつかの構成要素のブロック図である。図５Ａに示すように、評価モジュール１７０は、文書データベース１６４内の複数の文書の各々に関連するデータ（例えば文書ID、名称／ブランド、及び／又は文書に関連付けられた分類、実績測定値の種別（例えばインプレッションベース、クリック／発呼ベース、二次的動作ベース、又はサイト訪問ベース等）、各インプレッションの価格又は費用、クリック／発呼、又はサイト訪問等）等を取得するよう構成されたフィルタ５１０を含み、文書に関連するインプレッションイベントにつきイベントデータベース１６６に問い合わせ、データ格納部５１２内にインプレッションイベントに関連付けられたデータを格納する。図５Ｂは、各文書によってグループ化され且つ文書でインプレッションされたモバイル装置のUIDによって列挙された、データ格納部５１２内のインプレッションイベントの例を示す。図示のように、インプレッションされたモバイル装置の各々は、異なるタイムスタンプ（日／時）と共に、文書についての１以上のインプレッションを有してよい。評価モジュール１７０は更に、データ格納部５２２内で列挙されたモバイル装置の数と、各々が少なくとも１つのクリック／発呼イベントを有したモバイル装置の数とを計数するよう構成され、且つ、クリック／発呼イベント（CC）に基づく実績測定値（PM|cc）を算出するよう構成された算出エンジン（CB）５２４を含む。
【数１】
2020511716.tif 000001
ただしCPCはcost per click/call（クリック／発呼毎費用）である。CTRestは推測されたclick-through-rate（クリック率）である。これは、データ格納部５２２に列挙されたモバイル装置の数に対する、各々が文書でインプレッションされ且つ少なくとも１つのクリック／発呼イベントを有したモバイル装置の数の割合であってよい。１０００の乗数は、実績測定値をCPM値モデルへマッピングすることである。
【手続補正２】
【補正対象書類名】明細書
【補正対象項目名】００５９
【補正方法】変更
【補正の内容】
【００５９】
図９Ｂは特定の実施形態による、実際のSVRを推測するパネル支援手法９００を示す。図９に示すように、方法９００を用いて、要求プロセッサ１５２はモバイルユーザの第１のグループ（例えばグループＡ）からの情報要求を受信及び処理し、更に、モバイルユーザの第２のグループ（例えばグループＢ）からのパネルデータパケットを受信及び処理する（９１０）。処理された情報要求とパネルデータパケットとは、上記の通り、要求データベース１６８内に格納される。特定の実施形態では、推測モジュール１７０は更に、インプレッションデータをデータ格納部５１２内で問い合わせる較正フィルタ５６０を含み、較正ユーザグループ（グループＣ）に属する較正モバイル装置のセットを検出し、次いで、要求データベース１６８内のデータをフィルタリングして、要求データと、較正ユーザグループに関連付けられたパネルデータとを取得する（９２０）。ここでは、各ユーザは、モバイルユーザの第１のセットとモバイルユーザの第２のセットとの両方である。要求データと、較正ユーザグループに関連付けられたパネルデータとは、データ格納部５６２に格納される。推測モジュール１７０は更に、データ格納部５６２にてパネルデータを問い合わせる場所訪問フィルタ５６４を含み、較正目的で選択された較正POIの少なくとも１つのセットを訪問したモバイルユーザの第１の数を判定する（９３０）。場所訪問フィルタ５６４は次いで、データ格納部５６２内の要求データに適用されて、較正POIの少なくとも１つのセットを訪問したモバイルユーザの第２の数を判定する（９４０）。ここで第１の数は、較正POIの少なくとも１つのセットを訪問した較正グループ内のモバイルユーザの実際の数を一層示す。というのも、それらの位置は、システム１５０に一層頻繁に共有されるからである。第２の数は、指定アプリ無しに、システム１５０によって視認されるモバイルユーザの数である。したがってモバイルユーザの第２の数は、指定アプリ無しに追跡され得るモバイルユーザを一層示す。較正POIのセットの各々に関連付けられた第１の数と第２の数とは、データ格納部５６６に格納される。
【手続補正３】
【補正対象書類名】特許請求の範囲
【補正対象項目名】全文
【補正方法】変更
【補正の内容】
【特許請求の範囲】
【請求項１】
パケットベースのネットワークからの情報要求を処理するシステムであって、
前記パケットベースのネットワークにおける１以上のサーバから第１の複数のモバイル装置に関連付けられた要求を受信するよう構成された要求プロセッサであって、前記要求の各々は関連付けられたモバイル装置によって送信された信号から導出された位置データと非位置データとを含み、前記要求プロセッサは更に、前記要求の少なくともいくつかのうち各それぞれの要求につき、前記それぞれの要求に含まれるそれぞれの位置データに少なくとも基づいて位置特徴を導出し、前記要求プロセッサは更に、前記位置特徴と前記それぞれの要求に含まれるそれぞれの非位置データとにより要求データベースを更新するよう構成される、要求プロセッサと、
前記それぞれの要求を実現することの判定に応答して情報を選択及び送信するよう構成された情報サーバであって、前記情報サーバは前記位置特徴と前記それぞれの非位置データとの少なくともいくつかに基づいて検索クエリを構築するよう構成されたクエリ構築装置と、前記検索クエリを用いて文書データベースを検索して一致文書を出力するよう構成された検索エンジンとを含み、前記情報サーバは更に、前記一致文書の１つを選択して前記それぞれの要求を実現するよう構成された順位付け部と、前記選択された文書に関連するデータを前記パケットベースのネットワークへ送信するよう構成されたネットワークインタフェースとを含み、前記選択された文書は、前記それぞれの要求に関連付けられたそれぞれのモバイル装置でインプレッションされるとリンクを表示するよう構成され、前記リンクは、前記それぞれのモバイル装置の入力部を介してクリックされると、前記それぞれのモバイル装置に、追加の情報を表示させ又は発呼させ、前記情報サーバは更に、前記選択された文書に関連する前記それぞれのモバイル装置上での１以上のイベントを示す信号を受信するよう構成され、前記１以上のイベントは前記選択された文書のインプレッションと前記リンクのクリックとの１以上を含み、前記情報サーバは更に、前記１以上のイベントに関連付けられたデータを格納するためのイベントデータベースへのアクセスを含む又は有する、情報サーバと、
前記要求データベースとイベントデータベースとのうち１以上におけるデータを用いて前記文書データベース内の複数の情報文書の各々についての少なくとも１つの実績測定値を判定するよう構成された評価モジュールであって、前記複数の情報文書は、オフラインの場所訪問ベースの実績測定値を用いた少なくとも１つの文書を含む、評価モジュールと、
を含み、
前記一致文書は前記複数の文書のうち１以上の文書を含み、前記順位付け部は更にそれぞれの実績測定値に少なくとも基づいて前記一致文書を順位付けするよう構成され、前記選択された文書は前記一致文書における順位と関連付けられた予算とに基づいて選択され、前記情報サーバは更に、前記選択された文書がオフラインの場所訪問ベースの実績測定値を用いた文書であり且つ前記それぞれのモバイル装置上でインプレッションされたことに応答して、オフラインの場所訪問の予測を導出するよう構成された量制御モジュールであって、オフラインの場所訪問の前記予測に基づいて、前記選択された文書に関連付けられた予算を調整するよう構成された量制御モジュールを含む、システム。
【請求項２】
請求項１に記載のシステムにおいて、前記位置特徴は、前記それぞれのモバイル装置が前記それぞれの要求の時点で存在すると判定された１以上の場所を含み、前記選択された文書は、前記１以上の場所の少なくとも１つに関連付けられる、システム。
【請求項３】
１以上のコンピュータシステムによって実行されて、パケットベースのネットワークからの情報要求を処理する方法であって、前記１以上のコンピュータシステムの各々は少なくとも１つのプロセッサを含み、
前記１以上のコンピュータシステムのプロセッサによって、前記パケットベースのネットワークにおける１以上のサーバから、前記パケットベースのネットワークと通信する第１の複数のモバイル装置に関連付けられた要求を受信するステップであって、前記要求の各々は関連付けられたモバイル装置によって送信された信号から導出された位置データと非位置データとを含む、ステップと、
前記１以上のコンピュータシステムのプロセッサによって、前記要求の少なくともいくつかのうち各それぞれの要求につき、前記それぞれの要求に含まれるそれぞれの位置データに基づいて、位置特徴を生成するステップと、
前記１以上のコンピュータシステムのプロセッサによって、前記位置特徴と前記それぞれの要求に含まれるそれぞれの非位置データとで要求データベースを更新するステップと、
前記１以上のコンピュータシステムのプロセッサによって、前記それぞれの要求を実現することの判定に応答して、前記位置特徴と前記それぞれの非位置データとの少なくともいくつかに基づいて検索クエリを構築するステップと、
前記１以上のコンピュータシステムのプロセッサによって、前記検索クエリを用いて文書データベースを検索して、一致文書を出力するステップと、
前記１以上のコンピュータシステムのプロセッサによって、前記一致文書の１つを選択して、前記それぞれの要求を実現するステップと、
選択された文書に関連するデータを前記パケットベースのネットワークへ送信するステップであって、前記選択された文書は、前記それぞれの要求に関連付けられたそれぞれのモバイル装置でインプレッションされるとリンクを表示するよう構成され、前記リンクは、前記それぞれのモバイル装置の入力部を介してクリックされると、前記それぞれのモバイル装置に、追加の情報を表示させ又は発呼させる、ステップと、
前記１以上のコンピュータシステムのプロセッサによって、前記選択された文書に関連する前記それぞれのモバイル装置上での１以上のイベントを示す信号を受信するステップであって、前記１以上のイベントは前記選択された文書のインプレッションと前記リンクのクリックとの１以上を含む、ステップと、
前記１以上のコンピュータシステムのプロセッサによって、イベントデータベースに、前記１以上のイベントに関連付けられたデータを格納するステップと、
前記１以上のコンピュータシステムのプロセッサによって、前記要求データベースとイベントデータベースとのうち１以上におけるデータを少なくとも用いて、前記文書データベース内の複数の情報文書の各々につき少なくとも１つの実績測定値を判定するステップであって、前記複数の情報文書は、オフラインの場所訪問ベースの実績測定値を用いた少なくとも１つの文書を含み、前記一致文書は前記複数の文書のうち１以上の文書を含み、前記一致文書の１つを選択して前記それぞれの要求を実現することは、それぞれの実績測定値に少なくとも基づいて前記一致文書を順位付けすることを含み、前記選択された文書は前記一致文書における順位と前記選択された文書に関連付けられた予算とに基づいて選択される、ステップと、
前記１以上のコンピュータシステムのプロセッサによって、前記選択された文書がオフラインの場所訪問ベースの実績測定値を用いた文書であり且つ前記それぞれのモバイル装置上でインプレッションされたことに応答して、オフラインの場所訪問の予測を生成するステップと、
前記オフラインの場所訪問の予測に基づいて、前記選択された文書に関連付けられた予算を調整するステップと、
を含む方法。
【請求項４】
請求項３に記載の方法において、前記位置特徴は、前記それぞれのモバイル装置が前記それぞれの要求の時点で存在すると判定された１以上の場所を含み、前記選択された文書は、前記１以上の場所の少なくとも１つに関連付けられる、方法。
【請求項５】
請求項３に記載の方法において、複数の情報文書の各々につき少なくとも１つの実績測定値を判定することは、
前記イベントデータベースを検索して、前記複数の文書の各それぞれに関連付けられたインプレッションイベントのデータを取得することと、前記第１の文書に関連付けられたインプレッションイベントのデータに基づいて前記第１の文書についての前記インプレッションベースの実績測定値を生成することと、
前記インプレッションイベントを検索して、前記第２の文書に関連付けられたクリック／発呼イベントのデータを取得することと、前記第２の文書に関連付けられたインプレッションイベントの前記データと前記第２の文書に関連付けられたクリック／発呼イベントの前記データとに基づいて前記第２の文書についての前記クリック／発呼ベースの実績測定値を生成することと、
前記要求データベースを検索して、前記第３の文書に関連する場所訪問イベントのデータを取得することと、前記場所訪問イベントのデータを用いて、前記第３の文書につき前記オフラインの場所訪問ベースの実績測定値を生成することとを含む、方法。
【請求項６】
請求項５に記載の方法において、
前記第３の文書でインプレッションされたモバイル装置を複数の頻度グループに分割するステップであって、前記頻度グループの各々は、情報要求によりモバイルユーザが視認される頻度の範囲に関連付けられる、ステップと、
前記要求データベース内の前記データと場所訪問イベントの前記データとに基づいて各頻度グループにつき場所訪問率の値（ＳＶＲ値）を判定するステップと、
前記複数の頻度グループの前記ＳＶＲ値をモデル関数に適合させて、前記モデル関数につき収束値を判定するステップと、
を含み、
前記第３の文書についての、前記オフラインの場所訪問ベースの実績測定値は、前記収束値を用いて生成される、方法。
【請求項７】
請求項５に記載の方法において、
第２の複数のモバイル装置からパネルデータパケットを受信するステップと、
前記パネルデータパケットから位置特徴を導出するステップと、
前記パネルデータパケット内のパネルデータをそれぞれの位置特徴で注釈付けして、注釈付きパネルデータセットを生成するステップと、
前記要求データベースに前記注釈付きパネルデータセットを格納するステップと、
前記第２の複数のモバイル装置の少なくともいくつかからインプレッションイベントを示す信号を受信するステップと、
前記イベントデータベースに、インプレッションイベントを示す信号から抽出されたデータを格納するステップと、
前記第１の複数のモバイル装置と前記第２の複数のモバイル装置とにおける第３の複数のモバイル装置に関連付けられたインプレッションデータにつき、イベントデータベースに問い合わせるステップと、
前記第３の複数のモバイル装置に関連付けられたパネルデータセットを用いて、１以上の較正場所を訪問したモバイル装置の第１の数を判定するステップ、及び、前記第３の複数のモバイル装置に関連付けられた注釈付き要求を用いて、前記１以上の較正場所を訪問したモバイル装置の第２の数を判定するステップと、
前記第１の数及び前記第２の数を用いて、較正乗数を判定するステップと、
を含む方法。
【請求項８】
請求項７に記載の方法において、前記第３の文書についての、前記オフラインの場所訪問ベースの実績測定値は、前記較正乗数を用いて判定される、方法。